(57)【特許請求の範囲】
【請求項１】
既設枠の開口内に、新設枠部に面材を設けた新設サッシを取り付けた改装サッシであって、
前記既設枠の既設上枠の室外側に上カバー材が、当該上カバー材と既設上枠の室外側部とによりその上カバー材と既設上枠の室外側部との間に、前記既設枠の開口に向けて下向きに開口した溝状で、前記既設枠の開口内から不定形のシール材を設けることができるシール目地を有するように設けられ、そのシール目地に設けた不定形のシール材で既設上枠と上カバー材との間から雨水が浸入しないようにし、
前記新設枠部の上枠部材の室外側部が、前記上カバー材の既設上枠よりも下方の上枠当接部に当接し、かつシール材で水密されていることを特徴とする改装サッシ。
【請求項２】
前記上カバー材は、その本体の室内側面に固着した上取付金具を躯体に固着することで、その上横片が既設上枠の上面に接して取り付けられ、前記本体の室内側面と上横片と既設上枠の室外側垂下片とで前記不定形のシール材を設けるシール目地を形成し、
前記本体の室内側面における上取付金具よりも下部寄りを、シール材を有した上枠当接部とした請求項１記載の改装サッシ。
【請求項３】
既設枠の開口内に、新設枠部に面材を設けた新設サッシを取り付けた改装サッシであって、
前記既設枠の既設縦枠の室外側に縦カバー材が、当該縦カバー材と既設縦枠の室外側寄り部とによりその縦カバー材と既設縦枠の室外側寄り部との間に、前記既設枠の開口に向けて室内側向きに開口した溝状で、前記既設枠の開口内から不定形のシール材を設けることができるシール目地を有するように設けられ、そのシール目地に設けた不定形のシール材で既設縦枠と縦カバー材との間から雨水が浸入しないようにし、
前記新設枠部の縦枠部材の室外側部が、前記縦カバー材の既設縦枠よりも内方の縦枠当接部に当接し、かつシール材で水密されていることを特徴とする改装サッシ。
【請求項４】
前記縦カバー材は、その本体の室内側部に固着した縦取付金具を躯体に固着することで取り付けられ、その本体の室内側面と、その室内側面に設けたシール受け片と、既設縦枠の内側面とで前記不定形のシール材を設けるシール目地を形成し、
前記本体の室内側面における縦取付金具よりも内側寄りを、シール材を有した縦枠当接部とした請求項３記載の改装サッシ。
【請求項５】
前記縦取付金具のシール受け片寄り部分を切り欠きした請求項４記載の改装サッシ。
【請求項６】
既設枠の既設上枠の室外側に、その既設枠の開口内から上カバー材を設け、その上カバー材と既設上枠の室外側部との間に請求項１記載の不定形のシール材を設けるシール目地を形成し、そのシール目地に既設枠の開口内から不定形のシール材を設け、
その後に、新設枠部を室内側から既設枠の開口内に挿入して上枠部材の室外側部を上カバー材の上枠当接部に当接して室内外側方向に位置決めすると共に、シール材でシールし、その後新設枠部の室内側部を躯体に固着するようにしたことを特徴とするサッシの改装方法。
【請求項７】
既設枠の既設縦枠の室外側に、その既設枠の開口内から縦カバー材を設け、その縦カバー材と既設縦枠の室外側寄り部との間に請求項３記載の不定形のシール材を設けるシール目地を形成し、そのシール目地に既設枠の開口内から不定形のシール材を設け、
その後に、新設枠部を室内側から既設枠の開口内に挿入して縦枠部材の室外側部を縦カバー材の縦枠当接部に当接して室内外側方向に位置決めすると共に、シール材でシールし、その後新設枠部の室内側部を躯体に固着するようにしたことを特徴とするサッシの改装方法。
【発明の詳細な説明】
【技術分野】
【０００１】
本発明は、既設サッシの既設枠の開口内に新設サッシを取り付けた改装サッシ及び、その新設サッシを既設枠の開口内に取り付けるサッシの改装方法に関する。
【背景技術】
【０００２】
従来から既設サッシの既設枠の開口内に新設サッシを取り付けした改装サッシが種々提案されているが、その新設サッシを室外側から既設枠の開口内に取り付けるには作業用の足場を設置しなければならないので、新設サッシを室内側から既設枠の開口内に取り付けるようにして、作業用の足場を用いずに施工可能とした改装サッシが提案されている。
例えば、特許文献１に開示したように、既設枠の室外側にＴ字型の雨仕舞材を取り付け、既設枠の開口内に設けた新設サッシの新設枠の室外側部を雨仕舞材に装着した目地材に当接するようにした改装サッシが提案され、この改装サッシであれば既設枠の開口内に新設サッシを室内側から取り付けできると共に、新設サッシの新設枠を室内外側方向に位置決めできる。
【先行技術文献】
【特許文献】
【０００３】
【特許文献１】特公昭５４−２７６５８号公報
【発明の概要】
【発明が解決しようとする課題】
【０００４】
前述した従来の改装サッシにおいては、既設枠と雨仕舞材との間から雨水が既設枠と新設枠との間に浸入するので、その雨仕舞材と外壁との間にコーキング材（シール材）を打設して水密している。
前述のように雨仕舞材と外壁との間にコーキング材を打設するには、作業者が室内側から既設枠の開口より室外側に身を乗り出して作業することになるので、作業時の安全性に問題があると共に、サイズの小さいサッシの場合には作業者が開口から室外側に身を乗り出すことが不可能である問題があった。
【０００５】
本発明は、前述の課題に鑑みなされたもので、その目的は、既設枠の開口内に室内側から新設サッシを取り付けできると共に、既設枠と新設サッシとの間に雨水が浸入しないようにする作業をサッシのサイズに関係なく安全に実施できるようにした改装サッシ及び改装方法とすることである。
【課題を解決するための手段】
【０００６】
本発明の第１の改装サッシは、既設枠の開口内に、新設枠部に面材を設けた新設サッシを取り付けた改装サッシであって、
前記既設枠の既設上枠の室外側に上カバー材が、当該上カバー材と既設上枠の室外側部とによりその上カバー材と既設上枠の室外側部との間に、前記既設枠の開口に向けて下向きに開口した溝状で、前記既設枠の開口内から不定形のシール材を設けることができるシール目地を有するように設けられ、そのシール目地に設けた不定形のシール材で既設上枠と上カバー材との間から雨水が浸入しないようにし、
前記新設枠部の上枠部材の室外側部が、前記上カバー材の既設上枠よりも下方の上枠当接部に当接し、かつシール材で水密されていることを特徴とする改装サッシである。
【０００７】
本発明の第１の改装サッシにおいては、前記上カバー材は、その本体の室内側面に固着した上取付金具を躯体に固着することで、その上横片が既設上枠の上面に接して取り付けられ、前記本体の室内側面と上横片と既設上枠の室外側垂下片とで前記不定形のシール材を設けるシール目地を形成し、
前記本体の室内側面における上取付金具よりも下部寄りを、シール材を有した上枠当接部とすることができる。
このようにすれば、上カバー材を上取付金具で躯体に取り付けできる。
また、新設枠部の上枠部材が上取付金具と干渉しないように室内側から既設枠の開口内に挿入して取り付けできる。
【０００８】
本発明の第２の改装サッシは、既設枠の開口内に、新設枠部に面材を設けた新設サッシを取り付けた改装サッシであって、
前記既設枠の既設縦枠の室外側に縦カバー材が、当該縦カバー材と既設縦枠の室外側寄り部とによりその縦カバー材と既設縦枠の室外側寄り部との間に、前記既設枠の開口に向けて室内側向きに開口した溝状で、前記既設枠の開口内から不定形のシール材を設けることができるシール目地を有するように設けられ、そのシール目地に設けた不定形のシール材で既設縦枠と縦カバー材との間から雨水が浸入しないようにし、
前記新設枠部の縦枠部材の室外側部が、前記縦カバー材の既設縦枠よりも内方の縦枠当接部に当接し、かつシール材で水密されていることを特徴とする改装サッシである。
【０００９】
本発明の第２の改装サッシにおいては、前記縦カバー材は、その本体の室内側部に固着した縦取付金具を躯体に固着することで取り付けられ、その本体の室内側面と、その室内側面に設けたシール受け片と、既設縦枠の内側面とで前記不定形のシール材を設けるシール目地を形成し、
前記本体の室内側面における縦取付金具よりも内側寄りを、シール材を有した上枠当接部とすることができる。
このようにすれば、縦カバー材を縦取付金具で躯体に取り付けできる。
また、新設枠部の縦枠部材が縦取付金具と干渉しないように室内側から既設枠の開口内に挿入して取り付けできる。
【００１０】
本発明の第２の改装サッシにおいては、前記縦取付金具のシール受け片寄り部分を切り欠きすることができる。
このようにすれば、シール目地に不定形のシール材をノズルを用いて注入する際に、縦取付金具の近くにおいては切り欠き部からノズルをシール目地に近づけて注入できるから、縦取付金具近くのシール目地に容易にシール材を注入できる。
【００１１】
本発明の第１のサッシの改装方法は、既設枠の既設上枠の室外側に、その既設枠の開口内から上カバー材を設け、その上カバー材と既設上枠の室外側部との間に請求項１記載の不定形のシール材を設けるシール目地を形成し、そのシール目地に既設枠の開口内から不定形のシール材を設け、
その後に、新設枠部を室内側から既設枠の開口内に挿入して上枠部材の室外側部を上カバー材の上枠当接部に当接して室内外側方向に位置決めすると共に、シール材でシールし、その後新設枠部の室内側部を躯体に固着するようにしたことを特徴とするサッシの改装方法である。
【００１２】
本発明の第２のサッシの改装方法は、既設枠の既設縦枠の室外側に、その既設枠の開口内から縦カバー材を設け、その縦カバー材と既設縦枠の室外側寄り部との間に請求項３記載の不定形のシール材を設けるシール目地を形成し、そのシール目地に既設枠の開口内から不定形のシール材を設け、
その後に、新設枠部を室内側から既設枠の開口内に挿入して縦枠部材の室外側部を縦カバー材の縦枠当接部に当接して室内外側方向に位置決めすると共に、シール材でシールし、その後新設枠部の室内側部を躯体に固着するようにしたことを特徴とするサッシの改装方法である。
【発明の効果】
【００１３】
本発明の第１の改装サッシによれば、既設枠の開口内に室内側から新設サッシを取り付けできる。
上カバー材と既設上枠との間から雨水が浸入するのをシール目地に設けたシール材で防止でき、上カバー材と上枠部材との間から雨水が浸入することがなく、しかも、前述のシール材は既設枠の開口内からシール目地に設けることができる。
したがって、既設枠と新設サッシとの間に雨水が浸入しないようにする作業をサッシのサイズに関係なく、完全に実施できる。
さらに、シール目地に設けるシール材は不定形のシール材であるから、変形やたわみ等があっても確実にシールできる。
また、シール目地は既設枠の開口に向けて下向きに開口した溝状であるから、不定形のシール材をノズルを用いて注入して設けることが容易である。
【００１４】
本発明の第２の改装サッシによれば、既設枠の開口内に室内側から新設サッシを取り付けできる。
縦カバー材と既設縦枠との間から雨水が浸入するのをシール目地に設けたシール材で防止でき、縦カバー材と縦枠部材との間から雨水が浸入することがなく、しかも、前述のシール材は既設枠の開口内からシール目地に設けることができる。
したがって、既設枠と新設サッシとの間に雨水が浸入しないようにする作業をサッシのサイズに関係なく、完全に実施できる。
さらに、シール目地に設けるシール材は不定形のシール材とであるから、変形やたわみ等があっても確実にシールできる。
また、シール目地は既設枠の開口に向けて室内側向きに開口した溝状であるから、不定形のシール材をノズルを用いて設けることが容易である。
【００１５】
本発明の第１のサッシの改装方法によれば、上カバー材を既設枠の開口内から取り付けると共に、不定形のシール材を既設枠の開口内からノズルを用いてシール目地に設けることができるから、既設枠の開口内に新設サッシを室内側から容易に取り付けできる。
しかも、新設枠部の室内側部を躯体に固着するときに、新設枠部材に面材があっても問題がないから、面材を有した新設サッシを取り付けできる。
【００１６】
本発明の第２のサッシの改装方法によれば、縦カバー材を既設枠の開口内から取り付けると共に、不定形のシール材を既設枠の開口内からノズルを用いてシール目地に設けることができるから、既設枠の開口内に新設サッシを室内側から容易に取り付けできる。
しかも、新設枠部の室内側部を躯体に固着するときに、新設枠部材に面材があっても問題がないから、面材を有した新設サッシを取り付けできる。
【図面の簡単な説明】
【００１７】
【図１】改装サッシの概略内観図である。
【図２】改装サッシの詳細縦断面図である。
【図３】改装サッシの詳細横断面図である。
【図４】図２の上枠部分の拡大図である。
【図５】既設上枠と上カバー材と上取付金具の斜視図である。
【図６】図２の下枠部分の拡大図である。
【図７】図３の縦枠部分の拡大断面図である。
【図８】既設縦枠と縦カバー材と縦取付具の斜視図である。
【図９】新設サッシの取付状態を示す斜視図である。
【図１０】新設サッシの取付状態を示す下枠部分の断面図である。
【発明を実施するための形態】
【００１８】
本発明の改装サッシの概略を図１に基づいて説明する。
躯体１の開口部１ａに取り付けてある既設サッシの既設枠２は、既設上枠２０と既設下枠２１と左右の既設縦枠２２，２２とで方形状である。
既設枠２の開口内にはジョイント枠３が設けてある。
このジョイント枠３はジョイント上枠３０とジョイント下枠３１と左右のジョイント縦枠３２，３２とで方形状である。
このジョイント枠３内に新設サッシの新設枠４が取り付けてある。
この新設枠４は新設上枠４０と新設下枠４１と左右の新設縦枠４２，４２とで方形状である。
新設枠４内に面材、例えば室外側固定上障子５ａと室内側可動下障子５ｂと網戸５ｃを取り付けて新設サッシとしてある。網戸５ｃは図２に図示してある。
つまり、ジョイント枠３と新設枠４とで新設枠部を構成し、ジョイント上枠３０と新設上枠４０で上枠部材、ジョイント下枠３１と新設下枠４１で下枠部材、ジョイント縦枠３２と新設縦枠４２で縦枠部材である。
図１は改装サッシを概略的に図示しており、各部材の寸法、形状などは図２以降に示す具体形状とは異なると共に、図２以降に図示してある額縁等は図示が省略してある。
【００１９】
図２と図３は本発明の改装サッシを具体的に示す縦断面図、横断面図である。
図２に示すように、既設上枠２０よりも室外側寄りに上カバー材６を設け、この上カバー材６を上取付金具７で躯体１に取り付けることで、上カバー材６で既設上枠２０の室外側を覆っている。
この上カバー材６の上部寄りと既設上枠２０の室外側部２０ａとでシール材を装着するためのシール目地６ａを形成している。
このシール目地６ａは既設枠２の開口に向けて下向きに開口した溝形状で、上カバー材６を取り付けた状態で既設枠２の開口内から（つまり、室内側から）シール目地６ａにシール材６ｂを設けることができるようにしてある。例えば、不定形のシール材６ｂをノズルを用いてシール目地６ａに注入して設けることができる。
上カバー材６の下端部６ｃは既設上枠２０よりも下方に位置して上枠当接部となっている。
【００２０】
図３に示すように、既設縦枠２２よりも室外側寄りに縦カバー材８を設け、この縦カバー材８を縦取付金具９で躯体１に固着して取り付け、この縦カバー材８と既設縦枠２２の室外側寄り部２２ａとでシール材を装着するシール目地８ａを形成している。
このシール目地８ａは室内側に向けて開口した溝状で、縦カバー材８を取り付けた状態で、既設枠２の開口内から（つまり、室内側から）シール材８ｂをシール目地８ａに設けることができるようにしてある。例えば、不定形のシール材８ｂをノズルを用いてシール目地８ａに注入して設ける。
上カバー材８の内側端部８ｃは既設縦枠２２よりも内方に位置して縦枠当接部を形成している。
【００２１】
このようであるから、上カバー材６と既設上枠２０との間から雨水が既設上枠２０と新設上枠４０との間に浸入することがないと共に、縦カバー材８と既設縦枠２２との間から雨水が既設縦枠２２と新設縦枠４２との間に浸入することがない。
しかも、前述のシール材６ｂ，８ｂは既設枠２の開口内、つまり室内側から設けることができるので、作業者が身を室外側に乗り出す必要がなく、サッシのサイズに関係なく安全にシール材を設けることができる。
【００２２】
また、新設枠４にジョイント枠３を取り付けた新設枠部を、既設枠２の室内側から既設枠２の開口内に取り付ける際に、ジョイント上枠３０（上枠部材）の室外側部が上カバー材６の下端部６ｃに当接すると共に、ジョイント縦枠３２（縦枠部材）の室外側部が縦カバー材８の内側端部８ｃに当接するので、新設枠４（新設枠部）を室内側から室内外側方向に位置決めして取り付けできる。
【００２３】
つまり、新設サッシを次のように取り付けて既設サッシを改装サッシに改装する。
まず、既設縦枠２２に縦カバー材８を縦取付金具９により取り付ける。この作業は室内側から既設枠１の開口内において実施できるから、安全で容易に取り付けできる。
つぎに、既設上枠２０に上カバー材６を上取付金具７により取り付ける。この作業も室内側から既設枠１の開口内において実施できるから、安全で容易に取り付けできる。
そして、前述のシール目地６ａ，８ａにシール材６ｂ，８ｂをそれぞれ設ける。この作業も室内側から既設枠２の開口内において実施できるから、安全で容易にシール材を設けることができる。
【００２４】
そして、新設枠４にジョイント枠３を取り付けた状態で、室内側から既設枠２の開口内に挿入し、ジョイント上枠３０の室外側部を上カバー材６の下端部６ｃに当接すると共に、ジョイント縦枠３２の室外側部を縦カバー材８の内側端部８ｃに当接して室内外側方向に位置決めし、ジョイント枠３を躯体１に固着する。
この状態で、新設上枠４０の室内側部に上額縁４３を室内側に向けて取り付けると共に、新設下枠４１の室内側部に下額縁４４、新設縦枠４２の室内側部に縦額縁４５を、それぞれ室内側に向けて取り付ける。
【００２５】
次に各部材を具体的に説明する。
既設上枠２０は図２、図４、図５に示すように、室内外側方向に向かう本体２０ｂと、その本体２０ｂの室内側方向中間に上向きに設けた取付片２０ｃと、本体２０ｂの室内側端に下向きに設けた鉤形の室内側片２０ｄと、本体２０ｂの室外側端に設けた室外側垂下片２０ｅを備え、取付片２０ｃが躯体１の室外側面１ｂに図示しないビスで固着され、外壁１ｃで覆われている。
室内側片２０ｄが躯体１の開口部１ａに接し、図示しないビスで固着してある。
そして、室外側垂下片２０ｅが前述した既設上枠２０の室外側部２０ａである。
【００２６】
上カバー材６は図２、図４、図５に示すように、上下方向に向かう本体６０と、その本体６０の室内側面６０ａの上端に室内側に向けて設けた上横片６１と、本体６０の室内側面６０ａの下端寄りに室内側に向けて設けた一対の突片６２を有し、その一対の突片６２が前述の下端部６ｃであると共に、一対の突片６２間にシール材６３が設けてある。
上取付金具７は、室内外側方向に向かう横片７０の室外端に取付片７１を一体に設けたほぼ倒Ｌ字状の幅狭いもので、その横片７０の室内側寄りを躯体１の開口部１ａにビス７２で固着することで、取付片７１が室外側に向かうように取り付けてある。この上取付金具７は既設上枠２０の長手方向に間隔を置いて複数取り付けてある。
そして、取付片７１をビス７３で上カバー材６の本体６０の室内側面６ａに固着することで上カバー６を取り付けている。
本体６０は中空部を有し、前述のビス７３は中空部内に突出しているので、そのビス７３の螺合部分から雨水が浸入することがない。
本体６０の長手方向両端部にはキャップ６４が取り付けてある。
【００２７】
これにより、上カバー材６は、その上横片６１が既設上枠２０の本体２０ｂの上面に接し、かつ本体６０の室内側面６０ａと室外側垂下片２０ｅとが室内外側方向に離隔して下向きに開口した凹溝を形成して前述のシール目地６ａを形成している。
このように、本体６０の室内側面６０ａ（上カバー材６の室内側面）と既設上枠２０の室外側垂下片２０ｅとでシール目地６ａを形成するから、見付け寸法（上下方向の寸法）が様々に異なる既設上枠２０に対応してシール目地６ａの位置を変えて適切に設けることができ、汎用性が高まる。
【００２８】
また、一対の突片６２の先端部（新設上枠当接部）が上枠２０の室外側垂下片２０ｅ（室外側部２０ａ）と室内外側方向に同一位置となるようにしてある。
なお、上取付金具７が既設上枠２０と干渉する場合には、その既設上枠２０の上取付金具７と干渉する部分を切断等して除去する。図４においては、室外側垂下片２０ｅの下部寄りが干渉するので、図４に点線で示す部分を切断して除去してある。
このようにすることで、シール材６ｂを設ける作業がやり易くなる。
【００２９】
ジョイント上枠３０は図２、図４に示すように、室外外側方向に向かう本体３０ａの室内側端に上取付片３０ｂと下取付片３０ｃを有し、本体３０ａの室外側端に縦向片３０ｄを有している。
そして、本体３０ａが新設上枠４０の上部に接してビス３０ｅで固着されると共に、下取付片３０ｃが新設上枠４０の室内側部に接してビス３０ｆで固着され、ジョイント上枠３０は新設上枠４０の上部に取り付けられる。
【００３０】
前述のようにして新設サッシを取り付けるときに、ジョイント上枠３０の縦向片３０ｄ（室外側部）が上カバー材６の一対の突片６２（下端部６ｃ）に当接して室内外側方向の位置が決められ、その状態で上取付片３０ｂを躯体１の開口部１ａにビス３０ｇが固着することで、新設上枠４０とともにジョイント上枠３０を躯体１に取り付ける。この実施の形態ではスペーサ１ｄを介して取り付けてある。
【００３１】
既設下枠２１は図６に示すように、上面が階段形状となった本体２１ａと、上向片２１ｂ、下向片２１ｃ、取付片２１ｄを有し、その取付片２１ｄを躯体１の室外側面１ｂに図示しないビスで固着して取り付けてある。
この既設下枠２１の室外側面２１ｅは前述した既設上枠２０の室外側面と室内外側方向に同一位置である。
【００３２】
ジョイント下枠３１は図６に示すように、室内外側方向に向かう本体３１ａと、その本体３１ａの室内側端に設けた上取付片３１ｂ、下取付片３１ｃと、本体３１ａの室外側寄り上面に設けた係止受片３１ｄと、本体３１ａの室外側端に設けた室外側垂下片３１ｅを有している。
図６に示すジョイント下枠３１はアルミ押出形材で、その本体３１ａが室内側寄りが高く、室外側寄りが低い段階形状で、その本体３１ａの室外側寄りと室内側寄りが別体で、かつ断熱材３１ｆで連結された断熱形材となっている。
【００３３】
ジョイント下枠３１は新設下枠４１の下部に次のように取り付けられる。
新設下枠４１の室外側下部に設けた係止片４１ａに係止受片３１ｄを係止して本体３１ａを新設下枠４１の下部に接すると共に、新設下枠４１の室内側部４１ｂに上取付片３１ｂを接してビス４１ｃで固着して取り付ける。
そして、ジョイント下枠３１の下取付片３１ｃを躯体１の開口部１ａ（スペーサ１ｄ）に接してビス３１ｇで固着して取り付け、室外側垂下片３１ｅを既設下枠２１の室外側面２１ｅよりも下方に垂下させ、既設下枠２１の室外側を完全に覆う。
既設下枠２１がジョイント下枠３１と干渉する場合には、その干渉する部分を切断等して除去する。図６においては、上向片２１ｂが干渉するので切断等して除去する。そのために、上向片２１ｂは点線で図示してある。
【００３４】
既設縦枠２２は図３、図７、図８に示すように、室内外側方向に向かう本体２２ａに取付片２２ｂと内向片２２ｃと室外側鉤片２２ｄを設けたもので、その室外側鉤片２２（室外側部）は既設上枠２０の室外側部２０ａと室内外側方向に同一位置である。
そして、取付片２２ｂを躯体１の室外側面１ｂに接して図示しないビスで固着して取り付けてある。
【００３５】
縦カバー材８は図３、図７、図８に示すように、左右方向に向かう縦板８０と、その縦板８０の左右両端に室内側に向けて設けた内側突片８１と、外側突片８２とでほぼ室内側に向かうコ字形状で、その縦板８０の室内側面における左右方向中間に室内側に向けて設けた一対の係止片８３，８３を有し、その係止片８３は内側突片８１、外側突片８２よりも室内側に突出している。縦カバー材８の上下端にはキャップ８６が取り付けてある。
【００３６】
縦取付金具９は図３、図７、図８に示すように、室内外側方向に向かう縦板状の本体９０と、その本体９０の室外側部に設けた係止受片９１と、本体９０の室内側寄りに設けた内向片９２を有した上下長さが短いもので、既設縦枠２２の長手方向に間隔を置いて複数設けられている。
そして、本体９０の室内側部を既設縦枠２２の本体２２ａにスペーサ９３を介して接し、ビス９４を躯体１に螺合して取り付けられ、その室外側面、つまり係止受片９１が既設縦枠２２の室外側鉤部２２ｄと室内外側方向に同一位置である。
このように、縦取付金具９を取り付けるときに既設縦枠２２と干渉する場合には、その既設縦枠２２の干渉する部分を切断等して除去する。図７においては内向片２２ｃが干渉するので切断等して除去する。そのために、内向片２２ｃは点線で図示してある。
【００３７】
そして、縦カバー材８の一対の係止片８３を縦取付金具９の係止受片９１に係合して仮取付けし、一方の係止片８３と本体９０の室外側寄りをビス９５で固着して取り付ける。
このように、仮取付けしてからビス９５で固着するから、そのビス９５を螺合し易い。
【００３８】
前述のように縦カバー材８を取り付けることで、他方の係止片８３が既設縦枠２２の室外側部（室外側鉤片２２ｄ）よりも室内側に入り込み、他方の係止片８３が本体２２ａと左右方向の間隔を置いて対向し、本体８０の室内側面８０ａと他方の係止片８３と既設縦枠２２の本体２２ａの室外側寄り（既設縦枠２２の内側面）とで室内側に向けて開口したほぼ溝状の空間を形成し、その空間が前述のシール目地８ａである。つまり、他方の係止片８３がシール受け片である。
【００３９】
この実施の形態では、縦カバー材８の本体８０の室内側面８０ａにおける他方の係止片８３（シール受け片）と離隔した部位にシール材受け、例えばバックアップ材８４が接着などで取り付けてある。
そして、縦カバー材８を前述のように取り付けることで、バックアップ材８４が既設縦枠２２の室外側部に接触して前述の空間を完全な溝状とすることができる。
また、縦カバー材８の本体８０の室内側面８０ａにおける内側突片８１と一方の係止片８３との間にシール材８５が設けてある。
【００４０】
前述したシール目地８ａにシール材８ｂをノズルを用いて注入して設けるが、縦取付金具９がある部分にシール材８ｂを注入するときには、そのノズルが縦取付金具９に干渉して注入しづらいので、縦取付金具９のシール目地８ａ寄りの部位を切欠きして注入し易くしてある。
例えば、図７と図８に示すように本体９０を、室内側縦片９０ａと、その室外側端に設けた内向縦片９０ｂと、その内向縦片９０ｂに設けた室外側縦片９０ｃでクランク形状とし、その室外側縦片９０ｃの室外側端部に被係止片９１を設ける。
そして、内向縦片９０ｂの上下部分と室外側縦片９０ｃの室内側寄りの上下部分をそれぞれ切欠き９０ｄとし、上下寸法を他の部分の上下寸法よりも小さくする。
【００４１】
このようにすることで、前述の切欠き９０ｄからノズルをシール目地８ａに容易に臨ませることができるので、シール材を注入し易くなる。
なお、縦取付金具９の全体の上下寸法を小さくすると、取り付ける部分、係合受片の上下寸法も小さくなって、取付強度の点に問題が生じる。
図７に示すように、室内側縦片９０ａにビス９６を左右方向に向けて螺合し、そのビス９６を既設縦枠２２の本体２２ａに押しつけている。
【００４２】
ジョイント縦枠３２は図３、図７に示すように、矩形筒状の本体３２ａと、その本体３２ａの室内側でかつ外側に向けて設けた取付片３２ｂと、本体３２ａの内側面の室内側に設けた連結片３２ｃ、室外側に設けた係止受片３２ｄを有している。
このジョイント縦枠３２は新設縦枠４２の外側に次のようにして取り付ける。
新設縦枠４２の室外側係止片４２ａを係止受片３２ｄに係止すると共に、室内側取付片４２ｂを連結片３２ｃに接し、ビス４２ｃで固着して取り付ける。
【００４３】
そして、ジョイント縦枠３２の室外側部（本体３２ａの室外側部３２ａ−１）を縦カバー材８の内側端部８ｃに当接して室内外側方向の位置を決め、取付片３２ｂをビス３２ｅで躯体１で固着して取り付ける。
【００４４】
前述のようにしてジョイント縦枠３２を取り付けた後に、ジョイント縦枠３２の本体３２ａの外側面に固着してあるブラケット３２ｆに螺合したビス３２ｇを縦取付金具９の本体９０の内向縦片９０ｂに当接している。
【００４５】
前述したように、ジョイント上枠３０、ジョイント下枠３１、ジョイント縦枠３２は、それぞれ室内側に設けた取付片３０ｂ，３１ｃ，３２ｂ、つまり、室内側部分をビス３０ｇ，３１ｇ，３２ｅで躯体１に固着して取り付けており、室外側部分をビスで躯体１に固着していないので、そのビス３０ｇ，３１ｇ，３２ｅを螺合する際に新設枠４内の面材（上障子５ａ、下障子５ｂ）が邪魔になることがなく、新設枠４に面材を装着したままの状態で取り付けできる。
しかも、既設枠に面格子等の障害物があっても、その障害物を外せずに新設サッシを取り付けできる。
【００４６】
図６に示すように、縦カバー材８は既設下枠２１の室外側部２１ｅよりも下方に突出していると共に、ジョイント下枠３１の室外側垂下片３１ｅも既設下枠２１の室外側部２１ｅよりも下方に突出している。
そして、縦カバー材８の室外側垂下片３１ｅは、その上下方向中間で折曲し、その折曲部３１ｅ−１を境とした上側部分３１ｅ−２よりも下側部分３１ｅ−３が室外側に位置していると共に、その下側部分３１ｅ−３が縦カバー材８の内側面、つまり内側突片８１に接触するようにして下部の雨仕舞を良好としている。
【００４７】
ジョイント枠３を取り付けた新設枠４（つまり、新設枠部）を室内側から既設枠１の開口内に取り付けるには、図９に示すように新設枠４を垂直に対して斜めの傾斜姿勢として下部が上部よりも室外側寄りとなるようにする。
そして、新設枠４の下部を既設枠２の開口に挿入し、図１０に示すように、ジョイント下枠３１の室外側垂下片３１ｅの下側部分３１ｅ−３の左右両端面を左右の縦カバー材８の内側突片８１に接触しながら新設枠４を順次垂直姿勢に向けて傾動することで取り付ける。
【００４８】
このようであるから、ジョイント下枠３１の室外側垂下片３１ｅの下側部材３１ｅ−３が縦カバー材８の内側突片８１と干渉して新設枠４を取付しづらくなることがあるので、図６、図１０に示すように、その縦カバー材８の内側突片８１の前述の下側部分３１ｅ−３と接触部分に切欠き８１ａを形成することで、左右の縦カバー材８の内側突片８１間にジョイント下枠３１の室外側垂下片３１ｅがスムーズに挿入するようにしてある。
つまり、縦カバー材８の内側面におけるジョイント下枠３１の室外側垂下片３１ｅと接触する部分を切欠きすれば良い。
【００４９】
前述の実施の形態では、ジョイント枠３と新設枠４とで新設枠部としたが、この新設枠部は新設枠４のみとすることができる。
その場合は、上枠部材は新設上枠４０のみで、下枠部材は新設下枠４１のみで、縦枠部材は新設縦枠４２のみである。
【符号の説明】
【００５０】
１…躯体、２…既設枠、３…ジョイント枠、４…新設枠、６…上カバー材、６ａ…シール目地、６ｂ…シール材、６ｃ…下端部（上枠当接部）、７…上取付金具、８…縦カバー材、８ａ…シール目地、８ｂ…シール材、８ｃ…内側端部（縦枠当接部）、９…縦取付金具、２０…既設上枠、２１…既設下枠、２２…既設縦枠、３０…ジョイント上枠、３１…ジョイント下枠、３２…ジョイント縦枠、４０…新設上枠、４１…新設下枠、４２…新設縦枠。
【図１】
0005813563.tif 000002
【図２】
0005813563.tif 000003
【図３】
0005813563.tif 000004
【図４】
0005813563.tif 000005
【図５】
0005813563.tif 000006
【図６】
0005813563.tif 000007
【図７】
0005813563.tif 000008
【図８】
0005813563.tif 000009
【図９】
0005813563.tif 000010
【図１０】
0005813563.tif 000011